(57)【要約】【課題】繰り返して使用することが可能であって、付着した液体の飛散を防止可能なノズルを開閉する開閉栓及び吐出容器を提供すること。【解決手段】液体１００を供給する吐出容器１のノズル５２に設けられる開閉栓２４であって、液体１００を通過させる連通孔７０、その外面に形成された円柱状の軸部７２、及び、軸部７２の外周面に形成された係合部７２ａを具備し、ノズル５２の先端に設けられるとともに、その先端部６７から連通孔７０を通過した液体１００を吐出する外郭部材６１と、軸部７２に嵌合され、軸部７２の軸心を中心に回動可能な孔部８５及び孔部８５の内周面に形成された係合部７２ａと孔部８５の回動方向に係合する被係合部８５ａを有する支持部８１、並びに、支持部８１に一体に設けられ、外郭部材６１の先端部６７を閉塞する栓８２を具備し、外郭部材６１の先端部６７に対して軸部７２を中心に栓８２を回動可能な栓部６２と、を備える構成とする。【選択図】      図６
2014237470.tif 000002
【特許請求の範囲】
【請求項１】
液体を供給する吐出容器の前記液体を吐出するノズルに設けられる開閉栓であって、
前記液体を通過させる連通孔、その外面に形成された円柱状の軸部、及び、前記軸部の外周面に形成された係合部を具備し、前記ノズルの先端に設けられるとともに、その開口端から前記連通孔を通過した前記液体を吐出する外郭部材と、
前記軸部に嵌合され、前記軸部の軸心を中心に回動可能な孔部及び前記孔部の内周面に形成された前記係合部と前記孔部の回動方向に係合する被係合部を有する支持体、並びに、前記支持体に一体に設けられ、前記外郭部材の開口端を閉塞する栓を具備し、前記外郭部材の開口端に対して前記軸部を中心に前記栓を回動可能な栓部と、
を備えることを特徴とする開閉栓。
【請求項２】
前記係合部及び前記被係合部は、前記栓が前記外郭部材の開口端を覆う位置、及び、前記栓が前記外郭部材の開口端から離間し、前記外郭部材の開口端が開口する位置において係合することを特徴とする請求項１に記載の開閉栓。
【請求項３】
前記外郭部材は、前記開口端に所定の曲率で湾曲する端面を有し、
前記栓は、前記外郭部材の前記端面の曲率と同じ曲率で湾曲する内面を有する、
ことを特徴とする請求項１に記載の開閉栓。
【請求項４】
前記外郭部材及び前記栓は、前記端面及び前記内面の曲率中心が、前記軸部の軸心と同一であることを特徴とする請求項３に記載の開閉栓。
【請求項５】
前記栓は、前記内面の曲率中心が前記軸部の軸心と同一であり、
前記外郭部材は、前記端面の曲率中心が前記栓の前記内面の曲率中心よりも前記外郭部材の開口端側に配置されることを特徴とする請求項３に記載の開閉栓。
【請求項６】
前記外郭部材又は前記栓は、前記栓が前記外郭部材の開口端から離間し、前記外郭部材の開口端が開口する位置において、一方が他方に当接することで、前記栓部の移動を規制する規制部が形成されていることを特徴とする請求項１に記載の開閉栓。
【請求項７】
液体を泡状の液体に形成して供給する吐出容器の前記泡状の液体を吐出するノズルに設けられる開閉栓であって、
前記泡状の液体を通過させる連通孔、その外面に形成された円柱状の軸部、及び、前記軸部の外周面に形成された係合部を具備し、前記ノズルの先端に設けられるとともに、その開口端から前記連通孔を通過した前記泡状の液体を吐出する外郭部材と、
前記軸部に嵌合され、前記軸部の軸心を中心に回動可能な孔部及び前記孔部の内周面に形成された前記係合部と前記孔部の回動方向に係合する被係合部を有する支持体、並びに、前記支持体に一体に設けられ、前記外郭部材の開口端を閉塞する栓を具備し、前記外郭部材の開口端に対して前記軸部を中心に前記栓を回動可能な栓部と、
を備えることを特徴とする開閉栓。
【請求項８】
液体を貯留する容器体と、
前記容器体に設けられ、その二次側に前記液体を供給する流路部、及び、前記流路部から供給された前記液体を吐出するノズルを有するノズルヘッドと、
前記液体を通過させる連通孔、その外面に形成された円柱状の軸部、及び、前記軸部の外周面に形成された係合部を具備し、前記ノズルの先端に設けられるとともに、その開口端から前記連通孔を通過した前記液体を吐出する外郭部材と、
前記軸部に嵌合され、前記軸部の軸心を中心に回動可能な孔部及び前記孔部の内周面に形成された前記係合部と前記孔部の回動方向に係合する被係合部を有する支持体、並びに、前記支持体に一体に設けられ、前記外郭部材の開口端を閉塞する栓を有する、前記外郭部材の開口端に対して前記軸部を中心に前記栓を回動可能な栓部と、
を備えることを特徴とする吐出容器。
【発明の詳細な説明】
【技術分野】
【０００１】
本発明は、液体を供給するノズルに用いられる開閉栓及び吐出容器に関する。
【背景技術】
【０００２】
ノズルから液体を適量供給する装置として、液体の石鹸の供給に用いられる吐出容器が知られている。このような吐出容器として、定量の液体を供給可能な所謂ポンプ式の容器や、容器本体を押圧することで、押圧する量、即ち容器本体の変化する容積に応じて液体を供給可能な、所謂スクイズ式の容器が知られている。
【０００３】
このような液体石鹸を供給する吐出容器は、供給する石鹸の洗浄性の向上や使用する石鹸の量の低減等の利便性を高めるために、石鹸に気体を混合させて泡状として、ノズルから吐出する技術も知られている。
【０００４】
しかし、石鹸を供給する吐出容器では、ノズルから液体石鹸を吐出後、ノズル内部に液状又は泡状の石鹸が残存し、当該残存した石鹸が時間の経過と共に滴下する、所謂液ダレが生じる、という問題があった。
【０００５】
そこで、栓によってノズルの開口を閉塞する構成とし、ノズル内に残存する石鹸により液ダレが生じることを防止可能な技術が知られている。また、このようなノズルを閉塞する栓は、小型であることから、紛失しやすく、このため、ノズルに栓を一体に設ける技術も知られている（例えば、特許文献１参照）。
【０００６】
特許文献１に記載されたノズルに用いられる栓は、ノズルの先端を覆う蓋体と、蓋体に設けられたノズルの開口形状と略同一形状の突部と、蓋体及びノズル間であって、蓋体及びノズルの上端側に一体に成形されたヒンジ部と、を備える。栓は、樹脂材料によってノズルを成形するときに、蓋体、突起及びヒンジ部を、一体に成形することでノズルの先端に一体に設けられる。このような栓は、ヒンジ部を中心に蓋体を回動させることで、突部をノズルの開口端に嵌合し、且つ、取り外すことで、ノズルを開閉し、液ダレを防止する構成である。
【先行技術文献】
【特許文献】
【０００７】
【特許文献１】特開２００５−１６２３１５号公報
【発明の概要】
【発明が解決しようとする課題】
【０００８】
上述した吐出容器では、以下の問題があった。即ち、上述した吐出容器では、ノズルの開口を閉塞している栓を取り外す際には、蓋体をノズル先端から離間する方向に押圧し、ノズルの開口に嵌合する突起を取り外す。このとき、栓は、ヒンジ部を介して回動することから、ノズルと対向する位置から外方へと突起が移動することとなる。また、ノズルの開口端に嵌合していた突起が取り外されることから、栓はヒンジ部を中心に勢いよく回動する虞がある。このようなことから、栓を取り外す場合に、突起に付着した液体が飛散する虞があった。
【０００９】
また、ヒンジ部は、樹脂材料で形成されることから、栓の開閉を繰り返し行うと、強度が低下する。このため、栓は、繰り返し使用することで、ヒンジ部が撓み、蓋体をノズルから離間させたときに、所定の位置に蓋体を維持することができなくなる虞や、ヒンジ部が破断する虞があった。
【００１０】
そこで本発明は、開状態及び閉状態を維持可能であって、付着した液体の飛散を防止可能なノズルを開閉する開閉栓及び吐出容器を提供することを目的とする。
【課題を解決するための手段】
【００１１】
前記課題を解決し目的を達成するために、本発明の開閉栓及び吐出容器及びノズルは、次のように構成されている。
【００１２】
本発明の一態様として、開閉栓は、液体を供給する吐出容器の前記液体を吐出するノズルに設けられる開閉栓であって、前記液体を通過させる連通孔、その外面に形成された円柱状の軸部、及び、前記軸部の外周面に形成された係合部を具備し、前記ノズルの先端に設けられるとともに、その開口端から前記連通孔を通過した前記液体を吐出する外郭部材と、前記軸部に嵌合され、前記軸部の軸心を中心に回動可能な孔部及び前記孔部の内周面に形成された前記係合部と前記孔部の回動方向に係合する被係合部を有する支持体、並びに、前記支持体に一体に設けられ、前記外郭部材の開口端を閉塞する栓を具備し、前記外郭部材の開口端に対して前記軸部を中心に前記栓を回動可能な栓部と、を備える。
【００１３】
本発明の一態様として、液体を泡状の液体に形成して供給する吐出容器の前記泡状の液体を吐出するノズルに設けられる開閉栓であって、前記泡状の液体を通過させる連通孔、その外面に形成された円柱状の軸部、及び、前記軸部の外周面に形成された係合部を具備し、前記ノズルの先端に設けられるとともに、その開口端から前記連通孔を通過した前記泡状の液体を吐出する外郭部材と、前記軸部に嵌合され、前記軸部の軸心を中心に回動可能な孔部及び前記孔部の内周面に形成された前記係合部と前記孔部の回動方向に係合する被係合部を有する支持体、並びに、前記支持体に一体に設けられ、前記外郭部材の開口端を閉塞する栓を具備し、前記外郭部材の開口端に対して前記軸部を中心に前記栓を回動可能な栓部と、を備える。
【００１４】
本発明の一態様として、吐出容器は、液体を貯留する容器体と、前記容器体に設けられ、前記液体をその二次側に前記液体を供給する流路部、及び、前記流路部から供給された前記液体を吐出するノズルを有するノズルヘッドと、前記液体を通過させる連通孔、その外面に形成された円柱状の軸部、及び、前記軸部の外周面に形成された係合部を具備し、前記ノズルの先端に設けられるとともに、その開口端から前記連通孔を通過した前記液体を吐出する外郭部材と、前記軸部に嵌合され、前記軸部の軸心を中心に回動可能な孔部及び前記孔部の内周面に形成された前記係合部と前記孔部の回動方向に係合する被係合部を有する支持体、並びに、前記支持体に一体に設けられ、前記外郭部材の開口端を閉塞する栓を有する、前記外郭部材の開口端に対して前記軸部を中心に前記栓を回動可能な栓部と、を備える。
【発明の効果】
【００１５】
本発明によれば、開状態及び閉状態を維持可能、付着した吐出の飛散を防止可能なノズルを開閉する開閉栓及び吐出容器を提供することが可能となる。
【図面の簡単な説明】
【００１６】
【図１】本発明の第１の実施形態に係る吐出容器の構成を示す断面図。
【図２】同吐出容器に用いられるノズルヘッドの構成を示す斜視図。
【図３】同ノズルヘッドの構成を示す斜視図。
【図４】同ノズルヘッドの構成を示す側面図。
【図５】同ノズルヘッドの構成を示す側面図。
【図６】同ノズルヘッドに用いられる開閉栓の構成を示す断面図。
【図７】同開閉栓の構成を示す断面図。
【図８】同開閉栓に用いられる回動軸部の構成を示す側面図。
【図９】本発明の第２の実施形態に係る吐出容器に用いられる開閉栓の構成を示す断面図。
【発明を実施するための形態】
【００１７】
（第１の実施形態）
以下、本発明の第１の実施形態に係る開閉栓２４が用いられた吐出容器１の構成を、図１乃至図８を用いて説明する。
【００１８】
図１は本発明の第１の実施形態に係る吐出容器１の構成を示す断面図、図２は吐出容器１に用いられるノズルヘッド６の構成であって、ノズルヘッド６に用いられる開閉栓２４の閉状態を示す斜視図、図３はノズルヘッド６の構成であって、開閉栓２４の開状態を示す斜視図、図４はノズルヘッド６の構成であって、開閉栓２４の閉状態を示す側面図、図５はノズルヘッド６の構成であって、開閉栓２４の開状態を示す側面図、図６は開閉栓２４の構成を閉状態で示す断面図、図７は開閉栓２４の構成を開状態で示す断面図、図８は開閉栓に用いられる軸部７２の構成を示す側面図である。
【００１９】
図１に示すように、吐出容器１は、容器体５と、ノズルヘッド６と、を備えている。吐出容器１は、容器体５内に貯留された液体１００を、泡状で吐出する容器である。また、吐出容器１は、容器体５及びノズルヘッド６が樹脂材料により成形された樹脂容器である。このような吐出容器１は、例えば、容器体５を押圧することで、泡状の液体を吐出可能な、所謂スクイズ式の容器である。液体１００は、例えば、シャンプー、ハンドソープ、洗顔料及び薬剤等の界面活性剤を含有する液体が用いられる。
【００２０】
容器体５は、有底筒状に形成され、その内部に液体１００を貯留可能に形成されている。容器体５は、樹脂材料により形成されている。容器体５は、その上端の一部が突出して開口する口部１１と、口部１１の外周面に形成された雄螺子部１２と、を備えている。容器体５は、使用者がその外面を押圧することで弾性変形し、その容積が減り、復元可能に形成されている。
【００２１】
図１乃至図５に示すように、ノズルヘッド６は、支持部２１と、支持部２１内に設けられた流路部２２と、支持部２１の上部に設けられたノズル部２３と、ノズル部２３に設けられた開閉栓２４と、を備えている。ノズルヘッド６は、支持部２１により容器体５に固定される。
【００２２】
支持部２１は、容器体５に固定される固定部３１と、ノズル部２３を支持可能、且つ、軸心方向に沿ってノズル部２３の移動を案内する案内部３２と、を備えている。支持部２１は、樹脂材料により、固定部３１及び案内部３２が一体に成形されている。
【００２３】
固定部３１は、円筒状に形成されるとともに、その内周面に容器体５の雄螺子部１２と螺合する雌螺子部３３が形成されている。固定部３１は、容器体５の口部１１を覆う。案内部３２は、円筒状に形成され、固定部３１の上端部に設けられる。案内部３２は、その上端に、ノズル部２３を移動可能に支持するとともに、その下端に流路部２２を固定可能に形成されている。
【００２４】
案内部３２は、例えば、固定部３１と一体に形成された第１円筒部３５と、円環状の連続部３６を介して第１円筒部３５の内部に一体に形成された第２円筒部３７と、を備えた、二重円筒状に形成される。案内部３２は、連続部３６の一部が開口することで、第１円筒部３５及び第２円筒部３７間の隙間が空気の流路を形成し、且つ、第２円筒部３７の内部空間が液体１００の流路を形成する。
【００２５】
案内部３２は、第１円筒部３５及び第２円筒部３７の隙間に逆止弁３８を備えている。第２円筒部３７は、その下端に流路部２２が設けられるとともに、その上端、より具体的には第１円筒部３５及び第２円筒部３７の上端にノズル部２３が挿入される。また、案内部３２は、第２円筒部３７の内部空間に設けられ、ノズル部２３により開閉される開閉弁３９を備えている。
【００２６】
逆止弁３８は、第１円筒部３５及び第２円筒部３７の空気の流路において、外気から容器体５内への空気の移動を可能とするとともに、容器体５内から外気への空気の移動を防止可能に形成されている。即ち、逆止弁３８は、容器体５の内圧が外気圧より高いときに空気の流路を閉塞し、且つ、容器体５の内圧が外気圧より低いときに空気の流路を開放可能に形成されている。
【００２７】
開閉弁３９は、第２円筒部３７の液体１００の流路と連続するノズル部２３の流路を開閉可能に形成されている。より具体的には、開閉弁３９は、ノズル部２３の後述する頭部５１の第１流路５３に挿入されることで第１流路５３を閉塞可能、且つ、第１流路５３から離間することで、第１流路５３を開放可能に形成されている。
【００２８】
流路部２２は、円筒状に形成され、その一端側が第２円筒部３７に液密に固定される固定部４１と、固定部４１の他端に設けられ、容器体５の底面に向って延びるチューブ４２と、固定部４１内に設けられたネット部４３と、を備えている。流路部２２は、ネット部４３で泡状にした液体をその二次側に供給可能に形成される。
【００２９】
固定部４１は、液体１００の流路を形成する。固定部４１は、ネット部４３を、第２円筒部３７の一次側に固定可能に形成される。固定部４１は、チューブ４２を挿入する挿入部４１ａを備えている。固定部４１は、ネット部４３を固定する部位の一次側であって、且つ、挿入部４１ａの二次側に、その外部空間と内部空間とを連続する孔部４１ｂを備えている。
【００３０】
挿入部４１ａは、円筒状に形成され、チューブ４２を嵌合することで固定可能に形成されている。孔部４１ｂは、固定部４１内への空気を取入れる孔である。
【００３１】
チューブ４２は、挿入部４１ａ内へ挿入されることで、固定部４１に固定される。チューブ４２は、挿入部４１ａの内径よりも大径に形成される。ネット部４３は、円筒状に形成された基部４４と、基部４４の開口、例えばその両端部に設けられたメッシュ状のネット４５と、を備えている。ネット４５は、液体１００が通過することで、液体１００を泡状に形成する。
【００３２】
図１乃至図５に示すように、ノズル部２３は、有底円筒状に形成された頭部５１と、頭部５１の外周面の一部に形成されたノズル５２と、を備えている。
【００３３】
頭部５１は、一端が閉塞する多重円筒状に形成される。頭部５１は、第１円筒部３５及び第２円筒部３７に挿入されるとともに、支持部２１に対して離隔可能に形成されている。例えば、頭部５１は、その開口端が固定部３１の端部と当接する第１位置、及び、その開口端が固定部３１の端部と離隔する第２位置に移動可能に形成される。また頭部５１は、第１位置及び第２位置において、案内部３２と所定の係合力で係合することで、各位置で案内部３２に支持される。
【００３４】
頭部５１は、その中心に、第２円筒部３７の液体１００の流路と連通するとともに、開閉弁３９により開閉される第１流路５３が形成される。また、頭部５１は、第１流路５３と交差するとともに、ノズル５２の先端に連続する第２流路５４が形成される。
【００３５】
頭部５１の第１位置は、開閉弁３９が第１流路５３内に位置し、第１流路５３が閉塞される位置であり、頭部５１の第２位置は、開閉弁３９によって第１流路５３が開放される位置である。
【００３６】
ノズル５２は、その開口端が第２流路５４と連続して形成される。ノズル５２は、その開口する内周面に、開閉栓２４を嵌合可能に形成される。
【００３７】
開閉栓２４は、円筒状の外郭部材６１と、外郭部材６１に設けられた栓部６２と、を備えている。開閉栓２４は、外郭部材６１に対して栓部６２が回動することで、外郭部材６１の開口端を開閉可能に形成されている。
【００３８】
外郭部材６１は、円筒状の胴部６５と、胴部６５の一端に形成されたノズル５２の開口に嵌合される嵌合部６６と、胴部６５の他端に形成された先端部６７と、を備えている。
【００３９】
胴部６５は、先端部６７の開口を所定の方向に指向させることが可能に、例えば、直線状、一部が曲折する形状、又は、円弧状に湾曲して形成された円筒状に形成される。本実施形態においては、胴部６５は、ノズル５２の開口端よりも斜め下方に向って先端部６７の開口を指向可能に、その一部が曲折する円筒状に形成される。
【００４０】
胴部６５は、その内部に形成され、第２流路５４と連通する連通孔７０と、その外周面の一部に一対形成された面取部７１と、同軸上に形成された栓部６２の回転中心となる、一対の軸部７２と、面取部７１の端部に形成された第１規制部７３と、を備えている。
【００４１】
連通孔７０は、その二次側から供給された泡状の液体１００を通過させる流路である。面取部７１は、栓部６２の可動範囲に設けられる。面取部７１は、栓部６２の回動時において、栓部６２の後述する支持部８１が対向する範囲の胴部６５の外面が平坦に形成されることで構成される。
【００４２】
一対の軸部７２は、胴部６５、さらに言えば面取部７１に同軸上に設けられる。図８に示すように、軸部７２は、円柱状に形成された突起である。一対の軸部７２は、その軸心が、連通孔７０の軸心に対して直交して形成される。軸部７２は、その外周面に複数のリブ（係合部）７２ａが形成されている。
【００４３】
軸部７２は、その軸心が、栓部６２の回転中心と同軸上に配置される。リブ７２ａは、軸部７２の軸心を中心に所定の角度θで複数、例えば、１２０度間隔で３つが軸部７２の外周面に一体に形成される。
【００４４】
第１規制部７３は、回動した栓部６２の支持部８１の端面と当接可能に形成された突起である。例えば、第１規制部７３は、胴部６５の外面を切欠することで形成される面取部７１の外面及び胴部６５の外面との段差により構成される。
【００４５】
嵌合部６６は、ノズル５２の開口形状と略同一形状に形成され、ノズル５２に嵌合可能に形成される。また、嵌合部６６は、嵌合力を増大させるとともに、その外面とノズル５２の内面との密封を行うシール部６６ａを備えている。シール部６６ａは、嵌合部６６の外周面に沿って形成された環状の突起である。このような、シール部６６ａは、単数又は複数が嵌合部６６の外面に設けられる。
【００４６】
先端部６７は、胴部６５よりも小径の円状又は楕円状に開口する円筒状に形成される。先端部６７は、外郭部材６１の開口端を構成し、図６に示すように、その端面６７ａが、所定の曲率半径Ｒ１で円弧状に湾曲して形成される。先端部６７の端面６７ａは、その曲率中心が、軸部７２の軸心と同軸に、さらに言えば、栓部６２の回動中心と同軸に設定される。
【００４７】
栓部６２は、一対の支持部８１と、一対の支持部８１間に設けられた円弧状に湾曲する板状の栓８２と、栓部６２の移動（回動）を規制する第２規制部８３と、栓８２に設けられた操作部８４と、を備えている。栓部６２は、一対の支持部８１、栓８２、第２規制部８３及び操作部８４が、外郭部材６１よりも軟らかい樹脂材料により一体に成形されている。なお、栓部６２は、例えば、外郭部材６１の材料にポリプロピレン系の樹脂材料が用いられる場合には、高密度ポリエチレン系の樹脂材料が用いられる。また、栓部６２は、例えば、外郭部材６１の材料に高密度ポリエチレン系の樹脂材料が用いられる場合には、低密度ポリエチレン系の樹脂材料が用いられる。
【００４８】
支持部８１は、例えば、扇状又は三角形状の板状に形成され、栓８２と一体に形成されている。支持部８１は、その一部に、軸部７２と嵌合する孔部８５が形成されている。
【００４９】
孔部８５は、軸部７２と略同一径、より具体的には、軸部７２と同一径又は軸部７２よりも若干小径に形成される。孔部８５は、その内周面に設けられ、リブ７２ａと同一形状に形成された３つの溝部（被係合部）８５ａを備えている。孔部８５は、軸部７２に対して回動可能に軸部７２に嵌合する。
【００５０】
３つの溝部８５ａは、３つのリブ７２ａと、孔部８５の回動方向、即ち、栓部６２の回動方向で係合可能に形成されている。具体的には、溝部８５ａは、１２０度間隔で３つ、孔部８５の内周面を切欠するように形成される。
【００５１】
溝部８５ａは、栓部６２が回動して栓８２が先端部６７の端面６７ａを覆い、先端部６７の開口を閉塞する位置においてリブ７２ａと係合可能に形成されている。また、溝部８５ａは、栓部６２が回動して栓８２が先端部６７の端面６７ａから離間し、先端部６７の開口が開口する位置においてリブ７２ａと係合可能に形成されている。
【００５２】
例えば、溝部８５ａは、その一つが栓８２に向って孔部８５の内周面に配置される。このような孔部８５は、軸部７２と嵌合することで、栓部６２の回動中心を構成するとともに、溝部８５ａがリブ７２ａと係合することによって、所定の位置で栓部６２の回動方向に係合力を発生させる。
【００５３】
栓８２は、先端部６７を覆うことで、先端部６７の開口端を閉塞可能に形成されている。栓８２は、その先端部６７と対向する内面８２ａの外周縁は、先端部６７の端面６７ａの外周縁よりも大に形成され、先端部６７の端面６７ａを覆うことが可能に形成されている。
【００５４】
また、栓８２の内面８２ａは、所定の曲率半径で円弧状に湾曲して形成される。具体的には、図６に示すように、栓８２の内面８２ａは、その曲率半径Ｒ２が先端部６７の端面６７ａの曲率半径Ｒ２と同一であって、且つ、その曲率中心が、先端部６７の端面６７ａの曲率中心及び軸部７２の軸心と同軸に形成されている。さらに言えば、栓８２の内面８２ａは、栓部６２の回動中心と同軸に設定される。
【００５５】
第２規制部８３は、栓８２の一方の端部に設けられた突起である。例えば、第２規制部８３は、栓８２の上方に位置する端部の縁に沿って突出することで構成され、栓８２が先端部６７を覆うときに、胴部６５と干渉可能に形成されている。即ち、第２規制部８３は、栓部６２を回動して先端部６７を栓８２により閉塞後に、さらに栓部６２が同方向に回動する栓部６２の移動（回動）を規制可能に形成されている。
【００５６】
操作部８４は、使用者が栓部６２を回動操作することが可能に、栓８２の外面に設けられた突起である。
【００５７】
次に、このように構成された吐出容器１の使用方法について説明する。  
先ず、図１に示すように、吐出容器１を保管するなど、吐出容器１の未使用時においては、吐出容器１は、開閉栓２４を先端部６７が栓部６２によって閉塞された状態であって、且つ、ノズル部２３を第１位置に位置した状態で構成される。このような状態とすることで、吐出容器１は、第１流路５３が開閉弁３９によって閉塞されるとともに、連通孔７０が栓部６２によって閉塞される。
【００５８】
これにより、容器体５に外圧が印加されても、液体１００が吐出されることがなく、また、先端部６７が栓８２に覆われて密封することで、連通孔７０内に残存する液体１００が連通孔７０内に保持され、液ダレが防止される。
【００５９】
なお、先端部６７が栓８２に覆われているときは、孔部８５の溝部８５ａに軸部７２のリブ７２ａが係合していることから、回動時よりも高い係合力で軸部７２及び孔部８５が係合した状態である。このため、栓部６２に誤って触れても、当該係合力によって栓部６２が開放することが防止される。
【００６０】
次に、泡状の液体１００を吐出させる、吐出容器１の使用について説明する。先ず、使用者は、ノズル部２３を上方に持ち上げて移動させ、ノズル部２３を第２位置に位置させる。これにより、第１流路５３が開閉弁３９によって開放される。次に、使用者は、操作部８４を上方に押し上げる。これにより、栓部６２は、軸部７２及び孔部８５を回動中心として上方に回動する。
【００６１】
また、使用者は、栓部６２の回動を所定の角度、本実施形態においては１２０度回動させることで、孔部８５の溝部８５ａに軸部７２のリブ７２ａが係合し、栓部６２が先端部６７を開放するとともに、先端部６７を開放した開放位置で栓部６２が維持される。なお、孔部８５の溝部８５ａに軸部７２のリブ７２ａが係合し、且つ、第１規制部７３が支持部８１に当接することによって、栓部６２の所定の角度の回動が成されることから、使用者は、栓部６２の回動が停止するまで栓部６２を回動させればよい。
【００６２】
次に、使用者は、先端部６７の開口を、液体１００を吐出したい方向に向け、容器体５の外面を押圧する。これにより、容器体５内の液体１００は、図１に示す液体１００の流路Ｆに示すように、チューブ４２から固定部４１内のネット部４３の一次側まで移動する。また、図１に示す空気の流路Ｇに示すように、空気が、孔部４１ｂを介して固定部４１内のネット部４３の一次側に移動する。
【００６３】
これら液体１００及び空気は、固定部４１内で混合されるとともに、ネット部４３のネット４５を通過し、泡状に形成される。この泡状に形成された液体１００は、図１に示す泡状の液体１００の流路Ｈに示すように、第１流路５３、第２流路５４及び連通孔７０を介して移動し、先端部６７から吐出される。なお、説明の便宜上、泡状の流路Ｈを閉塞した状態、即ち、第１流路５３が開閉弁３９によって閉塞され、且つ、栓部６２が先端部６７を閉塞する状態が示された図１を用いて説明したが、液体１００の吐出時においては、泡状の流路Ｈは、第１流路５３が開放し、且つ、先端部６７が開放した状態である。
【００６４】
次に、泡状の液体１００を所定の量だけ吐出させた後、使用者は、容器体５の押圧を止める。これにより、容器体５の外形状が復元され、逆止弁３８が開放し、空気が容器体５内に進入することで、容器体５の内圧が外気圧と同圧となる。
【００６５】
次に、使用者は、操作部８４を下方に押し下げる。これにより、栓部６２は、軸部７２及び孔部８５を回動中心として下方に回動する。なお、使用者は、栓部６２の回動を所定の角度、本実施形態においては１２０度回動させることで、孔部８５の溝部８５ａに軸部７２のリブ７２ａが係合し、栓部６２が先端部６７を閉塞し、栓部６２が閉塞位置で維持される。
【００６６】
なお、孔部８５の溝部８５ａに軸部７２のリブ７２ａが係合し、且つ、第２規制部８３が胴部６５の外面と当接することによって栓部６２の所定の角度の回動が成されることから、使用者は、栓部６２の回動が停止するまで栓部６２を回動させればよい。
【００６７】
次に、使用者は、ノズル部２３を下方に押し下げて移動させることで、ノズル部２３を第１位置に位置させる。これにより、第１流路５３が開閉弁３９によって閉塞される。これにより、容器体５に外圧が印加されても、液体１００が吐出されることがなく、また、先端部６７が栓８２に覆われて密封することで、連通孔７０内に残存する液体１００が密閉された連通孔７０内に保持される。
【００６８】
このように構成された吐出容器１は、軸部７２及び孔部８５を回動中心として栓部６２を回動させる構成とすることで、繰り返し栓部６２を回動して外郭部材６１の先端部６７を開閉することが可能となり、吐出容器１を繰り返し使用することが可能となる。
【００６９】
また、先端部６７の端面６７ａ及び栓８２の内面８２ａの曲率半径Ｒ１，Ｒ２を同一とすることで、先端部６７及び栓８２はそれら端面６７ａ及び内面８２ａが密着することで、確実に先端部６７の開口を閉塞することが可能となる。
【００７０】
これにより、吐出容器１未使用時に、先端部６７及び連通孔７０に付着し、残存する液体１００が乾燥することを防止可能となるとともに、先端部６７の開口から異物が侵入することを防止可能となる。特に、ネット部４３を用いる吐出容器１の構成においては、先端部６７の開口を閉塞することで、ネット４５に付着した液体１００が固化することを防止し、ネット４５の目詰まりの防止が可能となる。
【００７１】
また、連通孔７０や第２流路５４等に残存した液体１００は、栓８２により連通孔７０に留まるため、当該残存した液体が滴下する液ダレの発生を防止することが可能となる。
【００７２】
栓部６２は、栓８２の内面８２ａの外周縁を先端部６７の端面６７ａの外周縁よりも大とし、栓８２の内面８２ａにより先端部６７の端面６７ａを覆う構成とすることで、より高い密閉を可能とする。
【００７３】
また、同構成により、端面６７ａ及び内面８２ａ間の接触面積を小さくすることが可能となるとともに、端面６７ａ及び内面８２ａを同じ曲率半径及び曲率中心の円弧状の曲面とすることで、互いに接触するときの栓部６２の開閉操作時の抵抗を低減することが可能となる。結果、栓部６２の開閉操作時の抵抗を低減することで、栓部６２の操作性を向上することが可能となる。
【００７４】
栓部６２は、その回動操作が操作部８４を操作することで回動させることが可能である。また、栓部６２は、リブ７２ａ及び溝部８５ａの係合によって、栓部６２の移動量が規制可能、且つ、所定の位置での保持が可能となる。これにより、開閉栓２４は、所謂ワンタッチ操作によって栓部６２を開閉可能であって、且つ、栓部６２による先端部６７の開口（液体１００の流路）の開放又は閉塞がリブ７２ａ及び溝部８５ａの係合力で維持可能となる。このように、吐出容器１は、高い操作性を得るとともに、開状態及び閉状態を維持することが可能となる。
【００７５】
さらに、外郭部材６１及び栓部６２は、第１規制部７３及び支持部８１の当接、並びに、第２規制部８３及び胴部６５の当接により、栓部６２の移動量が規制可能、且つ、所定の位置での保持が可能となる。このため、開閉栓２４は、より確実に、開状態及び閉状態を維持することが可能となる。
【００７６】
また、栓部６２は、その回動時に、栓８２の内面８２ａが、常時外郭部材６１に対向する構成であることから、栓８２の内面８２ａに付着した液体１００が、使用者側、即ち、外郭部材６１から離間する方向に飛散することを極力防止することが可能となる。さらに、栓８２は、一対の支持部８１間に設けられるとともに、回動方向の一端に第２規制部８３が設けられることから、栓８２の内面８２ａの周囲が一部を除いて覆われる構成である。このため、これら支持部８１及び第２規制部８３が、液体１００の移動を阻害し、当該付着した液体１００の流出を極力防止可能となる。
【００７７】
上述したように、本発明の第１の実施形態に係る吐出容器１によれば、ノズル５２の先端に開閉栓２４を設け、栓部６２をノズル５２の第２流路５４と連続する外郭部材６１の先端部６７を開閉する構成により、開状態及び閉状態の維持が可能であって、且つ、付着した液体１００の飛散を防止することが可能となる。
【００７８】
なお、本発明は前記実施の形態に限定されるものではない。上述した例では、先端部６７の端面６７ａ及び栓８２の内面８２ａは、同一の曲率半径Ｒ１，Ｒ２であって、且つ、同一の曲率中心に構成された外郭部材６１及び栓部６２を説明したがこれに限定されない。図９に示す第２の実施形態に係る吐出容器１に用いられる開閉栓２４の構成を示す断面図に示すように、開閉栓２４の外郭部材６１及び栓部６２は、先端部６７の端面６７ａ及び栓８２の内面８２ａは、同一の曲率半径Ｒ１，Ｒ２であって、且つ、異なる曲率中心に構成されていてもよい。
【００７９】
このような構成の開閉栓２４は、栓部６２を、栓８２の内面８２ａの曲率中心が軸部７２の軸心と同一とする構成とし、外郭部材６１を、先端部６７の端面６７ａの曲率中心が栓８２の内面８２ａの曲率中心よりも先端部６７側に配置される構成とする。
【００８０】
これにより、開閉栓２４は、二点鎖線で示す端面６７ａのように、先端部６７の端面６７ａが変形して、又は、栓８２の端面８２ａが変形して、先端部６７の端面６７ａ及び栓８２の内面８２ａが密着して、より確実に先端部６７を閉塞することが可能となる。
【００８１】
また、上述した例では、吐出容器１は、スクイズ式の容器を用いる構成を説明したがこれに限定されない。吐出容器１は、定量の液体１００を吐出可能なポンプ式の容器を用いる構成であってもよい。また、上述した例では、泡状の液体１００を吐出する吐出容器１の構成を説明したがこれに限定されず、例えば、吐出容器１は、液状又は粘性状の液体１００を吐出する構成であってもよい。
【００８２】
また、上述した例では、支持部８１は、扇状又は三角形状に形成される構成を説明したがこれに限定されず、例えば矩形状であってもよい。但し、好ましくは、支持部８１は、胴部６５と対向（干渉）する面積が小さい構成がよい。
【００８３】
また、上述した例では、軸部７２のリブ７２ａ及び孔部８５の溝部８５ａは、それぞれ１２０度間隔で３つ設けられる構成であって、且つ、それら一つが、先端部６７及び栓８２に向って配置される構成を説明したがこれに限定されない。即ち、リブ７２ａ及び溝部８５ａは、栓部６２が所定の位置で係合可能であって、且つ、所定の角度回動可能であれば、それらの数、間隔及び位置は限定されない。
【００８４】
さらに、上述した例では、開閉栓２４は、ノズル５２に別体に設けられる構成を説明したがこれに限定されず、ノズル５２及び外郭部材６１を一体に成形することで、開閉栓２４をノズル５２に一体に設ける構成であってもよい。
【００８５】
他にも、上述した例では、第２規制部８３は、栓８２の上方に配置させる構成を説明したがこれに限定されず、例えば、先端部６７から栓部６２を下方に回動させることで開閉する構成である場合には、第２規制部８３は栓８２の下方に配置する構成であってもよい。また、上述した例では、栓部６２の移動を規制する規制部として、第１規制部７３及び第２規制部８３を設ける構成を説明したがこれに限定されない。第１規制部７３及び第２規制部８３は、いずれか一方のみを設ける構成であってもよく、また、第１規制部７３及び第２規制部８３の双方を設けず、リブ７２ａ及び溝部８５ａである係合部及び被係合部の係合による係合力でのみ規制部を構成してもよい。この他、本発明の要旨を逸脱しない範囲で種々変形実施可能である。
【符号の説明】
【００８６】
１…吐出容器、５…容器体、６…ノズルヘッド、１１…口部、１２…雄螺子部、２１…支持部、２２…流路部、２３…ノズル部、２４…開閉栓、３１…固定部、３２…案内部、３３…雌螺子部、３５…第１円筒部、３６…連続部、３７…第２円筒部、３８…逆止弁、３９…開閉栓、４１…固定部、４２…チューブ、４３…ネット部、５１…頭部、５２…ノズル、５３…第１流路、５４…第２流路、６１…外郭部材、６２…栓部、６５…胴部、６６…嵌合部、６７…先端部、６７ａ…端面、７０…連通孔、７１…面取部、７２…軸部、７２ａ…リブ（係合部）、７３…第１規制部（規制部）、８１…支持部、８２…栓、８２ａ…内面、８３…第２規制部（規制部）、８４…操作部、８５…孔部、８５ａ…溝部（被係合部）、１００…液体、Ｆ…液体の流れ、Ｇ…空気の流れ、Ｈ…泡状の液体の流れ。
【図１】
2014237470.tif 000003
【図２】
2014237470.tif 000004
【図３】
2014237470.tif 000005
【図４】
2014237470.tif 000006
【図５】
2014237470.tif 000007
【図６】
2014237470.tif 000008
【図７】
2014237470.tif 000009
【図８】
2014237470.tif 000010
【図９】
2014237470.tif 000011